【事件の表示】
　特許第３３２７１００号「光学装置」の請求項１ないし４に係る特許に対する特許異議の申立てについて、次のとおり決定する。
【結　論】
　訂正を認める。
　特許第３３２７１００号の請求項１、２に係る特許を維持する。
【理　由】
１．手続の経緯の概要
　　　
　平成１４年７月１２日　　設定登録
　平成１５年３月２４日　　特許異議の申立（申立人：中川　徹）
　平成１５年６月　６日　　取消理由通知
　平成１５年８月１８日　　訂正請求
　平成１６年３月　９日　　取消理由通知
　平成１６年４月１３日　　訂正請求
　平成１６年４月１３日　　訂正請求（平成１５年８月１８日）の請求取下
　平成１６年５月１０日　　取消理由通知
　平成１６年６月１６日　　訂正請求
　平成１６年６月１６日　　訂正請求（平成１６年４月１３日）の請求取下
       
２．訂正の適否についての判断
（１）平成１６年６月１６日付訂正の内容
　特許権者が求めている訂正の内容は、以下のとおりである。
　　
　訂正事項（ａ）
「【請求項１】　表示のための偏光された光束を形成する光学装置において、
　上記表示を行う光束の出射側の偏光子と反射を伴う界面との間に１／４波長位相差板を用いた光アイソレータを設けることを特徴とする光学装置。
【請求項２】　請求項１記載の光学装置において、
　上記光束の上記界面を通過した出射側に１／４波長位相差板を用いた第２の光アイソレータを設けることを特徴とする光学装置。
【請求項３】　複数の光束を合成する合成プリズムを有し、
　それぞれ偏光された複数の光束を、それぞれ所定のフィルタ手段を介して上記合成プリズムに入射して表示用の光束を形成すると共に、
　少なくとも一つの上記偏光された光束を発生する偏光子と上記フィルタ手段との間に１／４波長位相差板を用いた光アイソレータを設けることを特徴とする光学装置。
【請求項４】　請求項３記載の光学装置において、
　上記フィルタ手段と上記合成プリズムとの間に１／４波長位相差板を用いた第２の光アイソレータを設けることを特徴とする光学装置。」
を、
「【請求項１】　偏光された第１の色の光束が入射される第１の入射部、偏光された第２の色の光束が入射され前記第１の入射部に直交する第２の入射部、偏光された第３の色の光束が入射され前記第１の入射部に直交し前記第２の入射部に対向する第３の入射部を有し、前記第１，第２及び第３の色の光束を合成して出力する色合成プリズムと、
　前記第１，第２及び第３の入射部の各々に対応して設けられ、偏光された前記第１，第２及び第３の各色の光束を発生する偏光子と、
　前記第１，第２及び第３の入射部の各々に対応して前記第１，第２及び第３の偏光子で偏光された光を前記色合成プリズムの３つの面に入射させ表示用の光束を形成する第１，第２及び第３のフィルタ手段と、
　少なくとも前記第１及び第２のフィルタ手段と前記第１及び第２の偏向子との間に設けられた１／４波長位相差板を用いた第１の光アイソレータと、
　を備え、
　前記第１のフィルタ手段は、前記第１の色の光束を透過し前記第１の色以外の光束を反射または吸収すると共に、前記第２のフィルタ手段は、前記第２の色の光束を透過し前記第２の色以外の光束を反射または吸収し、前記第３のフィルタ手段は、前記第３の色の光束を透過し前記第３の色以外の光束を反射または吸収する
　ことを特徴とする光学装置。
【請求項２】　請求項１記載の光学装置において、
　少なくとも前記第１及び第２のフィルタ手段と前記色合成プリズムとの間に前記１／４波長位相差板を用いた第２の光アイソレータを設ける
　ことを特徴とする光学装置。」
　に訂正する。
　　　　
（２）訂正の目的の適否、新規事項の有無及び拡張・変更の存否
　訂正事項（ａ）において、
　（ア）訂正前請求項１，２を削除する訂正は、特許請求の範囲の減縮を目的とするものである。
　（イ）訂正後の請求項１の「偏光された第１の色の光束が入射される第１の入射部、偏光された第２の色の光束が入射され前記第１の入射部に直交する第２の入射部、偏光された第３の色の光束が入射され前記第１の入射部に直交し前記第２の入射部に対向する第３の入射部を有し、前記第１，第２及び第３の色の光束を合成して出力する色合成プリズム」は、訂正前請求項３の「複数の光束を合成する合成プリズム」を複数色光の合成プリズムに限定しようとするものであるから、特許請求の範囲の減縮を目的とするものである。
　（ウ）同請求項１の「前記第１，第２及び第３の入射部の各々に対応して設けられ、偏光された前記第１，第２及び第３の各色の光束を発生する偏光子」、「前記第１，第２及び第３の入射部の各々に対応して前記第１，第２及び第３の偏光子で偏光された光を前記色合成プリズムの３つの面に入射させ表示用の光束を形成する第１，第２及び第３のフィルタ手段」、「少なくとも前記第１及び第２のフィルタ手段と前記第１及び第２の偏向子との間に設けられた１／４波長位相差板を用いた第１の光アイソレータ」は、各々同請求項３の「偏光子」、「フィルタ手段」、「光アイソレータ」の相互間の配置関係を明りょうにすべく、限定しようとするものであるから、特許請求の範囲の減縮を目的とするものである。
　（エ）同請求項１の「前記第１のフィルタ手段は、前記第１の色の光束を透過し前記第１の色以外の光束を反射または吸収すると共に、前記第２のフィルタ手段は、前記第２の色の光束を透過し前記第２の色以外の光束を反射または吸収し、前記第３のフィルタ手段は、前記第３の色の光束を透過し前記第３の色以外の光束を反射または吸収すること」は、同請求項３の「フィルタ手段」の特性を限定しようとするものであるから、特許請求の範囲の減縮を目的とするものである。
　（オ）訂正後の請求項２の「少なくとも前記第１及び第２のフィルタ手段」及び「前記色合成プリズム」は訂正前請求項４の「上記フィルタ手段」、「上記合成プリズム」を特定しようとするものであるから、特許請求の範囲の減縮を目的とするものである。
　　
　さらに、これらの訂正は実質上特許請求の範囲を拡張し、又は変更するものでもない。
　　
（３）むすび
　以上のとおりであるから、上記訂正は、特許法第１２０条の４第２項、及び同条第３項で準用する特許法第１２６条第２項及び第３項の規定に適合するので、当該訂正を認める。
　　　
３．特許異議の申立てについての判断
（１）本件発明
　上記２．で訂正を認めたから、本件の請求項１，２に係る発明(以下、「本件発明１，２」という。)は、全文訂正明細書の特許請求の範囲の請求項１，２に記載されたとおりの次のものである。
　　　　
「【請求項１】　偏光された第１の色の光束が入射される第１の入射部、偏光された第２の色の光束が入射され前記第１の入射部に直交する第２の入射部、偏光された第３の色の光束が入射され前記第１の入射部に直交し前記第２の入射部に対向する第３の入射部を有し、前記第１，第２及び第３の色の光束を合成して出力する色合成プリズムと、
　前記第１，第２及び第３の入射部の各々に対応して設けられ、偏光された前記第１，第２及び第３の各色の光束を発生する偏光子と、
　前記第１，第２及び第３の入射部の各々に対応して前記第１，第２及び第３の偏光子で偏光された光を前記色合成プリズムの３つの面に入射させ表示用の光束を形成する第１，第２及び第３のフィルタ手段と、
　少なくとも前記第１及び第２のフィルタ手段と前記第１及び第２の偏向子との間に設けられた１／４波長位相差板を用いた第１の光アイソレータと、
　を備え、
　前記第１のフィルタ手段は、前記第１の色の光束を透過し前記第１の色以外の光束を反射または吸収すると共に、前記第２のフィルタ手段は、前記第２の色の光束を透過し前記第２の色以外の光束を反射または吸収し、前記第３のフィルタ手段は、前記第３の色の光束を透過し前記第３の色以外の光束を反射または吸収する
　ことを特徴とする光学装置。
【請求項２】　請求項１記載の光学装置において、
　少なくとも前記第１及び第２のフィルタ手段と前記色合成プリズムとの間に前記１／４波長位相差板を用いた第２の光アイソレータを設ける
　ことを特徴とする光学装置。」
　　　
（２）取消理由通知（平成１５年６月６日付）で引用された刊行物等に記載された発明
　甲第１号証：特願平８−３８４４６号（特開平８−３０４７５６号公報）　　 
　刊行物１：特開平６−１９４６２０号公報
　刊行物２：特開平５−３１３１１４号公報
　刊行物３：特開平２−２９０３９０号公報
　（ア）本件発明に係る出願前の他の出願であって、その出願後に出願公開された特願平８−３８４４６号（甲第１号証）の願書に最初に添付した明細書及び図面（以下、「先願明細書」という。）には、その段落【０００７】〜【００１２】、【００２１】〜【００２３】、【００２７】、【００２８】及び【図４】、【図５】に、
「液晶パネル５Ｒ，５Ｇ，５Ｂの偏向板６Ｒ，６Ｇ，６Ｂを出射した光束がダイクロイックプリズムからなる光合成系１１などに反射して、液晶パネル５Ｒ，５Ｇ，５Ｂに再入射するのを防止するために、出射側の偏光板６Ｒ，６Ｇ，６Ｂの透過軸とその遅軸の方向が４５°ずれた位相差板（λ／４板）７Ｒ，７Ｇ，７Ｂを、液晶パネル５Ｒ，５Ｇ，５Ｂの偏向板６Ｒ，６Ｇ，６Ｂと光合成系１１との間に配置した点、及び光合成系１１に入射する光を直線偏光にするべく、上記位相差板（λ／４板）７Ｒ，７Ｇ，７Ｂを出射した円偏光を直線偏光に変換する第２の位相差板（λ／４板）８Ｒ，８Ｇ，８Ｂをさらに光合成系との間に配置した」旨が記載されている。
　（イ）上記刊行物１には、その第１８図、第２４図及びこれに関する段落【０１１２】〜【０１１９】に、
「緑色画像表示部８３０Ｇを通過した緑色直線偏光が、第１の色合成用λ／４光学位相板８７１、色合成用緑色透過ダイクロイックフィルター８７２，第２の色合成用λ／４光学位相板８７３を経て色合成用偏光ビームスプリッター８７０に入射する。また青、赤の光路については、色分解部８２０において偏光ビームスプリッターから発した偏光が各々青色透過ダイクロイックフィルター、赤色透過ダイクロイックフィルターを透過して色合成用偏光ビームスプリッター８７０に入射する」旨が記載されている。
　（ウ）上記刊行物２には、その【図５】、段落【００３３】に、また上記刊行物３には、その第１図及びこれに関する明細書の記載（３頁左下欄４〜１５行）に、
「複数の光束すべてについて、フィルタを、液晶パネルを介して合成プリズムに近接配置する」旨が記載されている。
　　
（３）特許法第２９条の２についての対比・判断
　先願明細書、及び周知技術であるとして提示した上記刊行物１〜３には、本件発明１，２の「前記第１，第２及び第３の入射部の各々に対応して前記第１，第２及び第３の偏光子で偏光された光を前記色合成プリズムの３つの面に入射させ表示用の光束を形成する第１，第２及び第３のフィルタ手段」及び「前記第１のフィルタ手段は、前記第１の色の光束を透過し前記第１の色以外の光束を反射または吸収すると共に、前記第２のフィルタ手段は、前記第２の色の光束を透過し前記第２の色以外の光束を反射または吸収し、前記第３のフィルタ手段は、前記第３の色の光束を透過し前記第３の色以外の光束を反射または吸収する」なる事項が記載されていない。
　そして、上記構成を採用することにより、本件発明１，２は、色合成プリズムからリークして戻る他の色の光（迷光）を反射または吸収して、偏光子へ迷光が至るのを阻止するという独自の効果を奏するものである。
　したがって、本件発明１，２は、先願明細書に記載された発明と同一であるとはいえないから、特許法第２９条の２の規定に違反して特許を受けたものとはいえない。
　　
（４）特許法第２９条第２項についての対比・判断
　上記刊行物１〜３にはいずれも、本件発明１，２の「前記第１，第２及び第３の入射部の各々に対応して前記第１，第２及び第３の偏光子で偏光された光を前記色合成プリズムの３つの面に入射させ表示用の光束を形成する第１，第２及び第３のフィルタ手段」及び「前記第１のフィルタ手段は、前記第１の色の光束を透過し前記第１の色以外の光束を反射または吸収すると共に、前記第２のフィルタ手段は、前記第２の色の光束を透過し前記第２の色以外の光束を反射または吸収し、前記第３のフィルタ手段は、前記第３の色の光束を透過し前記第３の色以外の光束を反射または吸収する」なる事項が記載されていない。
　すなわち、
　刊行物１には、「青、赤の光路については、色分解部８２０において偏光ビームスプリッターから発した偏光が各々青色透過ダイクロイックフィルター、赤色透過ダイクロイックフィルターを透過して色合成用偏光ビームスプリッター８７０に入射する」との事項が記載されているものの、それらのダイクロイックフィルターと色合成用偏光ビームスプリッター８７０との間には液晶パネル８３０Ｒ，Ｂが介在しているから、上記ダイクロイックフィルターは、色合成用偏光ビームスプリッター８７０からリークして戻る他の色の光（迷光）を反射または吸収する手段たり得ず、本件発明１，２のフィルタ手段とは異なるものである。
　また、刊行物２，３に記載のものも、「フィルタを、液晶パネルを介して合成プリズムに近接配置」したものに過ぎないから、刊行物１に記載のものと変わるところがなく、本件発明１，２の上記事項を充足し得ない。
　したがって、本件発明１，２は、刊行物１〜３に記載された発明に基づいて当業者が容易に発明することができたものとはいえないから、特許法第２９条第２項の規定に違反して特許を受けたものとはいえない。
　　
（５）特許法第３６条第６項第１号についての判断
　特許法第３６条第６項第１号の趣旨は、実質的に公開されていない発明について権利が発生することを抑止するにあり、その判断は、請求項に係る発明が、発明の課題が解決できることを当業者が認識できるように記載された発明の詳細な説明の記載範囲を超えるか否かにあるところ、本件請求項１，２に係る発明は、実質的かつ具体的に発明の詳細な説明に記載されたものといえるから、本件請求項１，２に係る発明が、上記範囲を逸脱して広い権利を主張するものとはいえない。
　したがって、本件発明１，２は、特許法第３６条第６項第１号に規定する要件を満たさないという異議申立人の主張には理由がない。
　　
　また、その他の異議申立理由及び証拠は、本件特許の請求項１，２に係る発明を取り消すべき理由として採用することができない。
　　
４．むすび
　以上のとおりであるから、特許異議申立ての理由及び証拠によっては、本件請求項１，２に係る特許を取り消すことはできない。
　よって、結論のとおり決定する。
【異議決定日】
平成１６年７月１３日（２００４．７．１３）
【訂正の要旨】
審決（決定）の【理由】欄参照。
（５４）【発明の名称】
光学装置
（５７）【特許請求の範囲】
　【請求項１】　
偏光された第１の色の光束が入射される第１の入射部、偏光された第２の色の光束が入射され前記第１の入射部に直交する第２の入射部、偏光された第３の色の光束が入射され前記第１の入射部に直交し前記第２の入射部に対向する第３の入射部を有し、前記第１、第２及び第３の色の
して出力
色
と
　
前記第１、第２及び第３の入射部の各々に対応して設けられ、
前記第１、第２及び第３の各色の
、
　
前記第１、第２及び第３の入射部の各々に対応して前記第１、第２及び第３の偏光子で偏光された光を前記色合成プリズムの３つの面に入射させ表示用の光束を形成する第１、第２及び第３のフィルタ手段と、
　
少なくとも前記第１及び第２のフィルタ手段と前記第１及び第２の偏光子
設けられた
第１の
と、
　
を備え、
　
前記第１のフィルタ手段は、前記第１の色の光束を透過し前記第１の色以外の光束を反射または吸収すると共に、前記第２のフィルタ手段は、前記第２の色の光束を透過し前記第２の色以外の光束を反射または吸収し、前記第３のフィルタ手段は、前記第３の色の光束を透過し前記第３の色以外の光束を反射または吸収する
　ことを特徴とする光学装置。
　【請求項２】　請求項１記載の光学装置において、
　
少なくとも前
第１及び第２の
前
色
前記
　ことを特徴とする光学装置。
【発明の詳細な説明】
　【０００１】
　【発明の属する技術分野】
　本発明は、例えば液晶プロジェクター装置において表示用の光束を形成する際に使用して好適な光学装置に関するものである。
　【０００２】
　【従来の技術】
　例えば透過型の液晶ディスプレイ装置を用いて形成された表示用の光束をスクリーン上に投写して、映像信号等の表示を行うプロジェクター装置が実施されている。すなわち図４は、そのようなプロジェクター装置に使用される例えば透過型の液晶ディスプレイ装置を用いた光学装置の構成を示したものである。
　【０００３】
　この図４において、例えば透過型の液晶ディスプレイ装置４２の入射側と出射側には、それぞれ偏光子となる偏光板４１、４３が設けられている。そして任意の光源（図示せず）からの入射光束は、偏光板４１を介して液晶ディスプレイ装置４２に入射され、この液晶ディスプレイ装置４２で、例えば別途に入力される映像信号（図示せず）に従って透過される光束の偏光面が変化される。
　【０００４】
　さらにこの偏光面の変化された光束が偏光板４３に入射される。従ってこの偏光板４３から出射される光束は、上述の偏光面の変化に従って透過される光量が変化され、上述の入力された映像信号に従った明暗の変化が形成される。そしてこの光束が例えばスクリーン（図示せず）上に投写されることによって、このスクリーン上に入力された映像信号に従った表示が行われるものである。
　【０００５】
　【発明が解決しようとする課題】
　ところで液晶ディスプレイ装置４２の内部で映像信号のスイッチング等を行っている半導体素子は、強い光束の照射によってチャンネル等に電圧が発生し、この電圧によって誤動作を生じる恐れがある。一方、現状では液晶ディスプレイ装置４２の光透過率は低く、例えばプロジェクター装置を形成する場合には、液晶ディスプレイ装置４２に対して強い光束の照射が不可欠の状況にある。
　【０００６】
　そこで従来から、このような液晶ディスプレイ装置４２を製造する際に、各半導体素子の光源からの光束の入射される側に、遮光マスク（ブラックマトリクス＝ＢＭ）を形成することが行われている。これによれば、光源からの入射光束はこの遮光マスクで遮断されて各半導体素子に照射されることがなくなり、各半導体素子で入射光束による誤動作等が生じる恐れは防止される。
　【０００７】
　ところが上述の光学装置において、液晶ディスプレイ装置４２からの表示用の光束の出射側（偏光板４３の出射側）には、図４に示すように通常、光学フィルタ等の何らかのガラスパネル４４が設けられる。その場合に、上述の偏光板４３からの出射された光束の一部はこのガラスパネル４４で反射されて、液晶ディスプレイ装置４２の出射側に戻される恐れがある。
　【０００８】
　そしてこのようなガラスパネル４４からの反射光束が液晶ディスプレイ装置４２の出射側に照射されると、上述のスイッチング等を行っている半導体素子にこの反射光束が照射され、上述と同様に誤動作を生じる問題があった。
　【０００９】
　そこでこのような問題に対しては、従来から、例えばガラスパネル４４の液晶ディスプレイ装置４２側の面に、無反射コート等の界面の反射率を低下させる処理を施して、反射光束の強度を抑える方法が考えられていた。
　【００１０】
　しかしながらこのような処理を施しても界面の反射率を０％にすることはできず、多少の反射光束は存在する。そして上述のようなプロジェクター装置等で強い光束を照射している場合には、例えば１０％程度の僅かな反射率であっても反射光束の強度としては半導体素子に誤動作等の影響が出る状況になり、表示画像等に影響を与えてしまうものであった。
　【００１１】
　一方、上述のガラスパネル４４からの反射光束を遮断するために、液晶ディスプレイ装置４２の各半導体素子の出射側にも、上述の入射側と同様の遮光マスク（ブラックマトリクス＝ＢＭ）を形成することが考えられる。
　【００１２】
　しかしこのような液晶ディスプレイ装置４２の構造を実現する場合には、製造の際の工程数が増加し、製造コストを上昇させる問題がある。また、各半導体素子と入射側及び出射側の遮光マスクの位置のずれ等を補償するためには、各遮光マスクの範囲を大きくしなければならず、これによって液晶ディスプレイ装置４２で光束を透過させるための開口率が低下してしまう問題もあった。
　【００１３】
　この出願はこのような点に鑑みて成されたものであって、解決しようとする問題点は、従来の光学装置では、例えば液晶ディスプレイ装置の出射側に設けられる反射界面からの反射光束の照射によって、液晶ディスプレイ装置内部の半導体素子が誤動作等を生じる恐れがあり、また、この誤動作等を防止するための有効な方策がなかったというものである。
　【００１４】
　【課題を解決するための手段】
　このため本発明においては、光束の出射側の偏光子と反射を伴う界面との間に１／４波長（λ／４）位相差板を用いた光アイソレータを設けるようにしたものであって、これによれば、簡単な構成で反射を伴う界面からの反射光束を遮断し、例えば液晶ディスプレイ装置内部の半導体素子の誤動作等を良好に防止することができる。
　【００１５】
　【発明の実施の形態】
　すなわち本発明は、表示のための偏光された光束を形成する光学装置において、表示を行う光束の出射側の偏光子と反射を伴う界面との間に１／４波長位相差板を用いた光アイソレータを設けてなるものである。以下、図面を参照しながら本発明の一実施例について説明するに、図１は本発明による光学装置を適用した液晶プロジェクター装置の一例の要部の構成を示すブロック図である。
　【００１６】
　この図１において、例えば透過型の液晶ディスプレイ装置２の入射側と出射側には、それぞれ偏光子となる偏光板１、３が設けられている。そして任意の光源（図示せず）からの入射光束は、偏光板１を介して液晶ディスプレイ装置２に入射され、この液晶ディスプレイ装置２で、例えば別途に入力される映像信号（図示せず）に従って透過される光束の偏光面が変化される。
　【００１７】
　さらにこの偏光面の変化された光束が偏光板３に入射される。従ってこの偏光板３から出射される光束は、偏光面の変化に従って光量が変化され、上述の入力された映像信号に従った明暗の変化が形成されている。
　【００１８】
　そしてさらにこの光学装置においては、この偏光板３の出射側に１／４波長（λ／４）位相差板４等を用いた光アイソレータが設けられる。またこのλ／４位相差板４の出射側に、光学フィルタ等のガラスパネル５が設けられる。これによって上述の偏光板３から出射された光束はλ／４位相差板４に入射され、このλ／４位相差板４からの光束がガラスパネル５を通じて出射されることになる。
　【００１９】
　ここで上述の偏光板３から出射された光束は、任意の偏光面を有する直線偏光光束になっている。そしてこの直線偏光の光束がλ／４位相差板４等を用いた光アイソレータに入射されると、λ／４位相差板４の作用によって、この入射された直線偏光光束は円偏光光束に変換される。さらにこの変換された円偏光の光束が上述のガラスパネル５に照射されることになる。
　【００２０】
　そしてこの場合にこのガラスパネル５では、例えば照射される光束の９０％は透過され、例えば１０％が反射されることになる。ところがこの場合に反射光束は、円偏光光束の反射によって偏光面が１／２波長（λ／２）回転される。従ってこのガラスパネル５からの反射光束が再びλ／４位相差板４に入射されると、直線偏光光束に戻される際に、その偏光面がλ／２回転されたものになる。
　【００２１】
　このためガラスパネル５で反射されて偏光板３に戻される光束の偏光面は、最初に光束の出射された偏光板３の偏光面に対してλ／２回転されている。そしてこの偏光板３では、偏光面のλ／２回転された光束は遮断されるために、ガラスパネル５からの反射光束はこの偏光板３で遮断されて、液晶ディスプレイ装置２への反射光束の照射が防止されることになる。
　【００２２】
　従ってこの光学装置において、光束の出射側の偏光子３と反射を伴う界面（ガラスパネル５）との間にλ／４位相差板４を用いた光アイソレータを設けることによって、簡単な構成で反射を伴う界面からの反射光を遮断することができ、例えば液晶ディスプレイ装置２の内部の半導体素子の誤動作等を防止して、表示画像等への影響を解消することができる。
　【００２３】
　また、この光学装置において、液晶ディスプレイ装置２の出射側には何ら特別な処置等を必要とせず、例えば従来の遮光マスクを液晶ディスプレイ装置の出射側にも設ける場合のような、製造コストの上昇や開口率の低下等の問題が生じることもなく、簡単な構成で内部の半導体素子の誤動作等を良好に防止することができるものである。
　【００２４】
　こうして上述の光学装置によれば、表示のための偏光された光束を形成する光学装置において、表示を行う光束の出射側の偏光子と反射を伴う界面との間にλ／４位相差板を用いた光アイソレータを設けることにより、簡単な構成で反射を伴う界面からの反射光を遮断することができ、液晶ディスプレイ装置内部の半導体素子の誤動作等を防止して、表示画像等への影響を解消することができる。
　【００２５】
　ところで上述の光学装置においては、ガラスパネル５から出射される光束は円偏光になっている。しかしながら、例えば上述の偏光子３からそのまま出射される光束に合わせて設計されたプロジェクター装置等では、出射光束には直線偏光が求められる場合がある。すなわちこの光束を合成プリズム等を用いて合成する場合に、直線偏光で最良の特性が得られるように設計されている場合がある。
　【００２６】
　そこで上述のように出射光束に直線偏光が求められている場合には、光学装置として例えば図２に示すような構成を用いることができる。なお、図２において図１と対応する部分には同一の符号を付して示し、重複する説明を省略する。
　【００２７】
　この図２において、上述のガラスパネル５の出射側に、１／４波長（λ／４）位相差板６等を用いた第２の光アイソレータが設けられる。これによって、このλ／４位相差板６から出射される光束の偏光を円偏光から直線偏光に変換することができる。そしてこの場合に、このλ／４位相差板６の特性がλ／４位相差板４とは逆になるように、λ／４位相差板６の設置が行われる。
　【００２８】
　すなわち上述の光学装置において、λ／４位相差板４、６は、例えば雲母板やポリマーを延伸して形成されている。この場合に、これらのλ／４位相差板４、６の位相特性には方向性があり、例えば一の方向から入射された光束に対して＋λ／４の位相の変化が与えられる場合には、逆の方向から入射された光束に対しては−λ／４の位相の変化が与えられる。
　【００２９】
　そこで上述のλ／４位相差板４、６が互いに逆の位相特性となるように設置されている場合には、λ／４位相差板４に入射された光束は円偏光に変換され、その後にλ／４位相差板６で直線偏光に再変換されるが、この再変換された光束の偏光面は、λ／４位相差板４に入射された光束の偏光面に一致したものになる。なおガラスパネル５で、透過される光束に関しては偏光面への影響はない。
　【００３０】
　従ってこの光学装置において、λ／４位相差板４、６を設けることによって、このλ／４位相差板６からは、例えば偏光子３から出射された光束と等しい偏光面の光束が出射され、例えば偏光子３から出射される光束をそのまま用いるように設計されたプロジェクター装置等に対しても設計変更等を行う必要がなく、従来の光学装置に単純に置換してこの光学装置を採用することができる。
　【００３１】
　さらに図３には、このようにして設計された、例えば３原色の映像信号による映像光束を合成して出射するための光学装置の具体的な構成を示す。なお、図３において図２と対応する部分には対応の符号を付して示す。
　【００３２】
　この図３において、色合成プリズム１０と、この合成プリズム１０の合成光束の出射側に投写レンズ１１が設けられている。そしてこの合成プリズム１０の投写レンズ１１に対向する第１の入射部には緑（Ｇ）の光束が入射され、この入射光束は上述の光学装置と同様に構成された、偏光板１Ｇを介して緑（Ｇ）の映像信号（図示せず）の入力される液晶ディスプレイ装置２Ｇに入射される。
　【００３３】
　そしてこの液晶ディスプレイ装置２Ｇで入力される緑（Ｇ）の映像信号に従って透過される光束の偏光面が変化される。この偏光面の変化された光束が偏光板３Ｇに入射されて、この偏光板３Ｇから上述の緑（Ｇ）の映像信号に従った明暗の変化された光束が出射される。さらにこの偏光板３Ｇの出射側には１／４波長（λ／４）位相差板４Ｇ等を用いた光アイソレータが設けられる。
　【００３４】
　このλ／４位相差板４Ｇの出射側に、例えば赤（Ｒ）と青（Ｂ）の光束を反射するダイクロイックミラー（ＤＭ）５Ｇ等の色フィルターが設けられる。さらにこのダイクロイックミラー（ＤＭ）５Ｇから出射された光束は、第２の１／４波長（λ／４）位相差板６Ｇに入射される。そしてこのλ／４位相差板６Ｇからの光束が合成プリズム１０の第１の入射部に入射される。
　【００３５】
　また、合成プリズム１０の第１の入射部に直交する第２の入射部には、例えば赤（Ｒ）の光束が入射される。そしてこの入射光束は上述の光学装置と同様に構成された、偏光板１Ｒを介して赤（Ｒ）の映像信号（図示せず）の入力される液晶ディスプレイ装置２Ｒに入射される。
　【００３６】
　そしてこの液晶ディスプレイ装置２Ｒで入力される赤（Ｒ）の映像信号に従って透過される光束の偏光面が変化される。この偏光面の変化された光束が偏光板３Ｒに入射されて、この偏光板３Ｒから上述の赤（Ｒ）の映像信号に従った明暗の変化された光束が出射される。さらにこの偏光板３Ｒの出射側には１／４波長（λ／４）位相差板４Ｒ等を用いた光アイソレータが設けられる。
　【００３７】
　このλ／４位相差板４Ｒの出射側に、例えば緑（Ｇ）と青（Ｂ）の光束を反射するダイクロイックミラー（ＤＭ）５Ｒ等の色フィルターが設けられる。さらにこのダイクロイックミラー（ＤＭ）５Ｒから出射された光束は、第２の１／４波長（λ／４）位相差板６Ｒに入射される。そしてこのλ／４位相差板６Ｒからの光束が合成プリズム１０の第２の入射部に入射される。
　【００３８】
　さらに合成プリズム１０の第１の入射部に直交する第３の入射部には、例えば青（Ｂ）の光束が入射される。そしてこの入射光束は上述の光学装置と同様に構成された、偏光板１Ｂを介して青（Ｂ）の映像信号（図示せず）の入力される液晶ディスプレイ装置２Ｂに入射される。
　【００３９】
　そしてこの液晶ディスプレイ装置２Ｂで入力される青（Ｂ）の映像信号に従って透過される光束の偏光面が変化される。この偏光面の変化された光束が偏光板３Ｂに入射されて、この偏光板３Ｂから上述の青（Ｂ）の映像信号に従った明暗の変化された光束が出射される。さらにこの偏光板３Ｂの出射側には１／４波長（λ／４）位相差板４Ｂ等を用いた光アイソレータが設けられる。
　【００４０】
　このλ／４位相差板４Ｂの出射側に、例えば赤（Ｒ）と緑（Ｇ）の光束を反射するダイクロイックミラー（ＤＭ）５Ｂ等の色フィルターが設けられる。さらにこのダイクロイックミラー（ＤＭ）５Ｂから出射された光束は、第２の１／４波長（λ／４）位相差板６Ｂに入射される。そしてこのλ／４位相差板６Ｂからの光束が合成プリズム１０の第３の入射部に入射される。
　【００４１】
　さらにこの合成プリズム１０で、それぞれ上述の緑（Ｇ）赤（Ｒ）青（Ｂ）の映像信号に従って明暗の変化された光束が合成される。そしてこの合成された光束が合成プリズム１０の出射側に設けられた投写レンズ１１を通じて、例えばスクリーン（図示せず）上に投写されることによって、このスクリーン上に入力された３原色（ＧＲＢ）の映像信号に従ったカラー表示が行われるものである。
　【００４２】
　これによれば、複数の液晶ディスプレイ装置からの光束をそれぞれフィルタ手段を介して合成プリズムに入射して合成する場合に、少なくとも一つの偏光子とフィルタ手段との間に１／４波長位相差板を用いた光アイソレータを設けることにより、簡単な構成で反射光を遮断し、液晶ディスプレイ装置内部の半導体素子の誤動作等を防止して、表示画像等への影響を解消することができる。
　【００４３】
　なお図３の光学装置において、入射光束に直線偏光を想定した色合成プリズム１０では、入射光束の直線偏光面のｓ波とｐ波とで特性が異なる場合がある。その場合に上述のように、第２のλ／４位相差板６Ｇ、６Ｒ、６Ｂを設けたことによって、合成プリズム１０に入射される各光束の偏光面を、それぞれ偏光板３Ｇ、３Ｒ、３Ｂから出射される光束の偏光面と一致させることができる。
　【００４４】
　これによって、合成プリズム１０に取り付けられる各光学装置は、従来の光学装置に単純に置換して図３の光学装置を採用することができるようになる。また、合成プリズム１０が入射光束に直線偏光を想定したものでないときには、上述の第２のλ／４位相差板６Ｇ、６Ｒ、６Ｂは設けなくてもよいが、λ／４位相差板４Ｇ、４Ｒ、４Ｂを設けることによって誤動作等を防止することができる。
　【００４５】
　さらに上述の図３の光学装置において、緑（Ｇ）、赤（Ｒ）の光束は比較的輝度が高く、他の光束の影響を受け難いが、青（Ｂ）の光束は輝度が低いために、例えば緑（Ｇ）の光束の影響を受け易い。そこで緑（Ｇ）、赤（Ｒ）の色フィルターには、上述のダイクロイックミラー（ＤＭ）５Ｇ、５Ｒでなくても、通常の色吸収性のフィルターを用いることができる。
　【００４６】
　そこで上述の青（Ｂ）の色フィルターにのみダイクロイックミラー（ＤＭ）５Ｂを用いている場合がある。そのような場合に、通常の色吸収性のフィルターの反射率は低下させることができるが、ダイクロイックミラー（ＤＭ）の反射率は低下させることができないため、上述の青（Ｂ）の光学装置にのみ、λ／４位相差板４Ｂ、６Ｂを設けるようにしてもよい。
　【００４７】
　【発明の効果】
　この発明によれば、光束の出射側の偏光子と反射を伴う界面との間にλ／４位相差板を用いた光アイソレータを設けることによって、簡単な構成で反射を伴う界面からの反射光を遮断することができ、例えば液晶ディスプレイ装置の内部の半導体素子の誤動作等を防止して、表示画像等への影響を解消することができるようになった。
　【００４８】
　これによって、例えば液晶ディスプレイ装置の出射側には何ら特別な処置等を必要とせず、従来の遮光マスクを液晶ディスプレイ装置の出射側にも設ける場合のような、製造コストの上昇や開口率の低下等の問題が生じることもなく、簡単な構成で液晶ディスプレイ装置の内部の半導体素子の誤動作等を良好に防止することができるものである。
　【００４９】
　さらに第２のλ／４位相差板を設けることによって、このλ／４位相差板からは、例えば液晶ディスプレイ装置の偏光子から出射された光束と等しい偏光面の光束が出射され、例えば偏光子から出射される光束をそのまま用いるように設計されたプロジェクター装置等に対しても設計変更等を行う必要がなく、従来の光学装置に単純に置換してこの光学装置を採用することができる。
　【００５０】
　またこの発明によれば、複数の液晶ディスプレイ装置からの光束をそれぞれフィルタ手段を介して合成プリズムに入射して合成する場合に、少なくとも一つの偏光子とフィルタ手段との間にλ／４位相差板を用いた光アイソレータを設けることにより、簡単な構成で反射光を遮断し、液晶ディスプレイ装置内部の半導体素子の誤動作等を防止して、表示画像等への影響を解消することができる。
【図面の簡単な説明】
　【図１】
　本発明の適用される光学装置の一例の構成図である。
　【図２】
　本発明の適用される光学装置の他の例の構成図である。
　【図３】
　本発明の適用される光学装置のさらに他の例の構成図である。
　【図４】
　従来の光学装置の構成図である。
　【符号の説明】
　１　偏光板、２　液晶ディスプレイ装置、３　偏光板、４　λ／４位相差板、５　ガラスパネル